(57)【要約】【課題】建物の外断熱躯体に設ける開口部の下枠部周りに積雪するのを抑え、かつ開口部廻りからの雨水の浸入を防止する。【解決手段】外断熱躯体１の開口部構造は、建物外壁１ｗの外面１ｓに断熱部２が設けられた外断熱構造において、建物外壁１ｗの一部に設けられる開口部３と、開口部３より建物外壁１ｗの外側下方側に傾斜する折板部５１を有し、建物外壁１ｗとの間に設けられた断熱材２２の外側に断熱材２２を覆うように設けられた水切り材５と、を備え、折板部５１の上部材端５５は開口部３の下枠部４１ｂに取り付けられ、折板部５１は建物外壁１ｗに向かって折り返され下部材端５７が開口部３の下方の建物外壁１ｗまたは断熱材２２に固定されており、断熱材２２は、水切り材５と建物外壁１ｗとの間の密閉空間Ｓの、最も内側の部分Ｓ２に至るまで充填されている。【選択図】図１
2019203242.tif 000002
【特許請求の範囲】
【請求項１】
建物外壁の外面に断熱部が設けられた外断熱構造において、
前記建物外壁の一部に設けられる開口部と、
当該開口部より前記建物外壁の外側下方側に傾斜する折板部を有した水切り材と、
前記水切り材と前記建物外壁との間に設けられ、前記水切り材によって覆われた断熱材と、
を備え、
前記折板部の上部材端は前記開口部の下枠部に取り付けられ、前記折板部は前記建物外壁に向かって折り返され下部材端が前記開口部の下方の前記建物外壁または前記断熱材に固定されており、
前記断熱材は、前記水切り材と前記建物外壁との間の密閉空間の、最も内側の部分に至るまで充填されていることを特徴とする外断熱躯体の開口部構造。
【請求項２】
前記折板部は、水平面に対する勾配が３０〜６０度であることを特徴とする請求項１に記載の外断熱躯体の開口部構造。
【請求項３】
前記折板部の内側面には、結露防止材が貼付されていることを特徴とする請求項１または２に記載の外断熱躯体の開口部構造。
【発明の詳細な説明】
【技術分野】
【０００１】
本発明は、建物外壁の外面に断熱部が設けられた外断熱躯体の開口部構造に関する。
【背景技術】
【０００２】
建物の躯体に設けられるサッシは、躯体に形成された開口部の内側に設けられる。開口部の下枠部には、雨水等がサッシと開口部との隙間から建物内側に侵入するのを防ぐため、水切り材が設けられる。
例えば特許文献１には、外壁に設けた下地桟に固定される固定用縦片と、固定用縦片の下端から斜め前下方に向けて延びる水切り傾斜片と、水切り傾斜片の先端から下方に向けて垂設した水切り用垂下片と、を備える水切り材が開示されている。
特許文献１に開示されたような水切り材では、水切り傾斜片上に雪が積もった場合、水切り傾斜片が傾斜していても、雪が水切り傾斜片上に積もったままとなりやすい。これは、雪が降るような低温環境下では、水切り材が外気と同等の温度に低下して、水切り傾斜片上の雪が溶けにくいためである。また、水切り材の水切り用垂下片の下部材端から雨水等が水切り材の裏側に回り込み、外壁側に浸透してしまう場合もある。
【０００３】
また、特許文献２には、サッシの下枠の下面の室内側に設けられた躯体固定片と、サッシの下枠下面に設けられた当接部と、当接部の室外側に設けられ、下向きに傾斜して室外側に張り出した水切り部と、水切り部の上面に設けられて、下枠に設けられた被係止部に係止する室外側係止片と、を有するサッシが開示されている。
特許文献２に開示されたようなサッシにおいても、水切り部上に雪が積もった場合、水切り部が外気と同等の温度に低下して、雪が水切り部上に積もったままとなりやすい。また、水切り部の下部材端から水切り部の裏側に雨水等が回り込み、外壁側に浸透してしまう場合もある。
【０００４】
また、特許文献３には、サッシの下枠下面に固定された室内側取付部と、下枠に形成された下枠凹部内に位置する室外側取付部と、を備え、下枠の室外側端よりも室外側に張り出した水切りが開示されている。
特許文献３に開示されたような水切りにおいても、水切り上に雪が積もった場合、水切りが外気と同等の温度に低下し、雪が水切り上に積もったままとなりやすい。また、水切りの下部材端から雨水等が水切りの裏側に回り込み、外壁側に浸透してしまう場合もある。
【先行技術文献】
【特許文献】
【０００５】
【特許文献１】特開２００１−１２３５４６号公報
【特許文献２】特開２００９−１２１１５６号公報
【特許文献３】特開２０１６−１１３７７１号公報
【発明の概要】
【発明が解決しようとする課題】
【０００６】
本発明が解決しようとする課題は、建物の外断熱躯体に設ける開口部の下枠部周りに積雪するのを抑え、かつ開口部廻りからの雨水の浸入を防止する外断熱躯体の開口部構造を提供することである。
【課題を解決するための手段】
【０００７】
本発明者らは、建物の外断熱躯体に設ける開口部構造として、水切り材の内側面に結露防止材を貼付し、かつ水切り材と建物外壁との間の隅間部分に断熱材を充填して２重に熱遮断層（断熱層）を確保することで、水切り材裏面の建物内部側を高温状態に維持し、水切り材の表面温度との間に高い温度差を実現するとともに、水切り材の勾配を３０〜６０度に設定することで、雪が降った際にも、水切り材の外側面上に雪が留まることのないようにできる点に着眼し、本発明に至った。
本発明は、上記課題を解決するため、以下の手段を採用する。
すなわち、本発明の外断熱躯体の開口部構造は、建物外壁の外面に断熱部が設けられた外断熱構造において、前記建物外壁の一部に設けられる開口部と、当該開口部より前記建物外壁の外側下方側に傾斜する折板部を有した水切り材と、前記水切り材と前記建物外壁との間に設けられ、前記水切り材によって覆われた断熱材と、を備え、前記折板部の上部材端は前記開口部の下枠部に取り付けられ、前記折板部は前記建物外壁に向かって折り返され下部材端が前記開口部の下方の前記建物外壁または前記断熱材に固定されており、前記断熱材は、前記水切り材と前記建物外壁との間の密閉空間の、最も内側の部分に至るまで充填されていることを特徴とする。
このような構成によれば、開口部の下枠部に添って設ける水切り材と建物外壁との間の密閉空間の最も内側の部分に至るまで、断熱材が充填されることで、密閉空間を断熱層（熱遮断層）とすることができる。これにより、積雪時に、水切り材が外気温と同等の温度になるのを抑え、水切り材の外側面上に雪が積もるのを抑えるとともに、水切り材の外側面上に付着した雪を溶かして折板部に沿って速やかに下方側に落下させることができる。したがって、水切り材の外側面上に積もった雪が溶けて建物内部に侵入するのを抑えることができる。また、水切り材の折板部が建物外壁に向かって折り返され、下部材端が建物外壁または断熱材に固定されていることで、水切り材の下部材端から回り込む浸透水を阻止するとともに、下部材端を強固に支持することができる。
【０００８】
本発明の一態様においては、本発明の外断熱躯体の開口部構造は、前記折板部は、水平面に対する勾配が３０〜６０度である。
このような構成によれば、水切り材の折板部が３０〜６０度の勾配を有していることで、雨水や雪を折板部に留まらせることなく、速やかに下方側に落下させることができ、雨水の建物内への浸透を阻止できる。
【０００９】
本発明の一態様においては、本発明の外断熱躯体の開口部構造は、前記折板部の内側面には、結露防止材が貼付されている。
このような構成によれば、水切り材の内側面に結露防止材が貼付られていることで、水切り材と建物外壁との間には、結露防止材と断熱材とが２層に設けられることになる。これにより、積雪時に、水切り材が外気温と同等の温度になるのをさらに抑えることができる。したがって、水切り材の外側面上に積もった雪が溶けて建物内部に侵入するのを抑えることができる。
【発明の効果】
【００１０】
本発明によれば、建物の外断熱躯体に設ける開口部の下枠部周りに積雪するのを抑え、かつ開口部廻りからの雨水の浸入を防止することが可能となる。
【図面の簡単な説明】
【００１１】
【図１】本実施形態における外断熱躯体の開口部構造の構成を示す断面図である。
【図２】図１に示す開口部構造の構成を示す平面図である。
【図３】図１に示す開口部構造の水切り材周辺の部分斜視図である。
【発明を実施するための形態】
【００１２】
本発明は、建物の外断熱躯体に設ける開口部構造として、水切り材の内側面に結露防止材を貼付し、かつ水切り材と建物外壁との間の隅間部分に断熱材を充填して２重に熱遮断層（断熱層）を確保した外断熱躯体の開口部構造である。また、本発明の主な特徴は、（１）開口部を構成する水切り材と建物外壁との隅間部分に、断熱材が充填されている点と、（２）水切り材の勾配が３０〜６０度である点と、（３）水切り材の内側面に、結露防止材が貼付されており、水切り材の内側面に熱遮断層が設けられ、かつ、水切り材と建物外壁との間に断熱層が設けられる点である。
以下、添付図面を参照して、本発明による外断熱躯体の開口部構造を実施するための形態について、図面に基づいて説明する。
【００１３】
本実施形態における外断熱躯体の開口部構造の構成を示す断面図を図１に示す。図１のＡ−Ａ断面図を図２に示す。図１に示す開口部構造の、建物の屋外側から視た場合の斜視図を図３に示す。
図１に示されるように、建物を構成する外断熱躯体１は、建物外壁１ｗの一部に開口部３が設けられている。建物外壁１ｗは、例えば鉄筋コンクリート造からなる。建物外壁１ｗにおいて、開口部３の下側に位置する天端面１ｔは、建物の内側（図１の紙面右側、図２の紙面右側）から外側（図１の紙面左側、図２の紙面左側）に向かって漸次下方に傾斜している。
開口部３には、サッシ４が設けられている。サッシ４は、アルミ合金等からなり、開口部３に設けられた外枠４１と、外枠４１の内方に設けられたサッシ本体４２と、を備えている。外枠４１の下枠部４１ｂと、建物外壁１ｗの天端面１ｔとの間は、モルタル４３によって閉塞されている。
また、外枠４１の下枠部４１ｂにおいて、モルタル４３よりも建物の外側に位置する外側下枠部４１ｂｓの下面には、断面矩形のスペーサ４４が取り付けられている。このスペーサ４４と建物外壁１ｗの天端面１ｔとの間には、ゴム系材料等からシールパッキン４５が取り付けられている。
【００１４】
建物外壁１ｗは、建物の外側を向く外面１ｓに沿って断熱部２が設けられることで、外断熱構造とされている。断熱部２は、建物外壁１ｗの外面１ｓに沿って設けられたパネル状の断熱部材２１と、後述する断熱材２２とを備えている。断熱部材２１は、ＥＰＳ（Ｅｘｐａｎｄｅｄ  Ｐｏｌｙｓｔｙｒｅｎｅ：ビーズ法発泡スチロール）パネル等を備え、所定の厚さを有している。断熱部材２１は、セメント系接着剤２３等を介し、建物外壁１ｗの外面１ｓに固定されている。断熱部材２１には、外面１ｓに対向する側とは反対側に、耐候性を有した仕上げ層２４が設けられている。開口部３の下側の建物外壁１ｗに取り付けられた断熱部材２１は、その上端部２１ｔが、天端面１ｔよりも所定寸法下方に位置するよう設けられている。
図２に示されるように、断熱部材２１と仕上げ層２４は、開口部３の、下側以外の周りにも設けられている。
なお、図３においては、開口部３の下側にのみ、断熱部材２１と仕上げ層２４が設けられ、左右には断熱部材２１と仕上げ層２４は設けられておらず、建物外壁１ｗがむき出しとなった状態が示されている。
【００１５】
開口部３の下側には、水切り材５が設けられている。水切り材５は、建物外壁１ｗと平行に水平方向（図１の紙面に直交する方向）に連続している。この水切り材５は、折板部５１を有している。折板部５１は、開口部３より建物外壁１ｗの外側下方側に傾斜する傾斜部５２と、傾斜部５２の下端から鉛直下方に垂下する垂下部５３と、折返し部５６と、を一体に有している。
折板部５１の傾斜部５２は、水平面に対する勾配がθ＝３０〜６０度となるよう形成されている。このような構成によれば、折板部５１の傾斜部５２がθ＝３０〜６０度の勾配を有していることで、雨水や雪を折板部５１に留まらせることなく、速やかに下方側に落下させて、雨水の建物内への浸透を阻止する。
折返し部５６は、垂下部５３の下端から建物外壁１ｗに向かって折り返されている。
【００１６】
水切り材５は、折板部５１の傾斜部５２の上側に上部材端５５を一体に備えている。上部材端５５は、傾斜部５２の上端から建物内側に延びる水平延出部５４から鉛直上方に延びてスペーサ４４の側面に沿うよう設けられている。上部材端５５は、ビス６１によりスペーサ４４の側面に締結されることで、開口部３に設けられた下枠部４１ｂに固定されている。
外枠４１の下枠部４１ｂの外側下枠部４１ｂｓは、スペーサ４４よりも建物外側に突出しており、外側下枠部４１ｂｓと水切り材５の水平延出部５４との間には、シールパッキン５８が設けられ、ビス６１及び上部材端５５を建物外側から覆っている。このシールパッキン５８により、雨水等が外部から上部材端５５に形成されたビス６１の挿通孔（図示無し）を通って侵入することが抑えられる。
【００１７】
さらに、水切り材５は、折返し部５６の建物内側の端部から鉛直下方に延出する下部材端５７を有している。下部材端５７は、ブラケット７０及びステー７１を介し、開口部３の下方の建物外壁１ｗに固定されている。ブラケット７０は、側断面視Ｌ字状で、下部材端５７に沿う鉛直片部７０ａと、鉛直片部７０ａの下端から建物外壁１ｗ側に水平に延びる水平片部７０ｂとを一体に有している。このブラケット７０は、建物外壁１ｗと平行に水平方向（図１の紙面に直交する方向）に連続している。ブラケット７０の鉛直片部７０ａは、下部材端５７にビス６２を介して締結されている。
ステー７１は、ブラケット７０が連続する方向（図１の紙面に直交する方向）において、間隔をあけて複数設けられている。各ステー７１の先端部７１ａは、開口部３の下側に設けられた断熱部材２１の上端部２１ｔの上面に沿って延び、ブラケット７０の水平片部７０ｂに溶接、リベット、ビス等によって接合されている。ステー７１の基端部７１ｂは、建物外壁１ｗに沿って下方に延び、アンカービス６３等により建物外壁１ｗに固定されている。
また、水切り材５の折返し部５６と、開口部３の下側の断熱部材２１の上端部２１ｔとの間には、シールパッキン５９が設けられ、ビス６２及び下部材端５７とを建物外側から覆っている。このシールパッキン５９により、雨水等が外部から下部材端５７に形成されたビス６２の挿通孔（図示無し）等を通って侵入することが抑えられる。
【００１８】
水切り材５において、建物内側（建物外壁１ｗ側）を向く内側面５ｇには、結露防止材６が貼付されている。結露防止材６は、例えば、グライト材を所定の厚さで吹き付けることで形成されている。
【００１９】
また、開口部３の下側において、開口部３の下側に設けられた断熱部材２１の上端部２１ｔと、建物外壁１ｗの上端部と、シールパッキン４５と、外枠４１の外側下枠部４１ｂｓ（に設けられたスペーサ４４）と、水切り材５との間には、密閉空間Ｓが形成されている。さらに、この密閉空間Ｓには、その全体に、断熱材２２が充填されている。断熱材２２は、水切り材５と建物外壁１ｗとの間の密閉空間Ｓの、最も内側の部分Ｓ２、すなわち、水切り材５の水平延出部５４と、外枠４１の外側下枠部４１ｂｓに設けられたスペーサ４４との下側の空間で、シールパッキン４５に至る部分まで充填されている。このような断熱材２２は、例えば、発泡ウレタンを充填することで形成されている。
【００２０】
本実施形態における外断熱躯体の開口部構造は、外断熱躯体１に設けられるサッシ４の開口部を含む建物外壁１ｗと、サッシ４の開口部より外側に設けられる水切り材５と、水切り材５と建物外壁１ｗとの間の断熱材２２を備えている。すなわち、外断熱躯体１の開口部構造は、開口部を含む建物の外側部分であり、既に説明したように、開口部の周囲には、建物外壁１ｗの外側に断熱部材２１が一面に設置されている。
【００２１】
以下に、本実施形態による作用効果を述べる。
上記したような構成において、水切り材５と建物外壁１ｗとの間に断熱材２２が充填されることで、積雪時等において、水切り材５が外気と同等の温度まで低下してしまうことが抑えられる。特に、断熱材２２は、水切り材５と建物外壁１ｗとの間の密閉空間Ｓの、最も内側の部分Ｓ２に至るまで充填されているので、高い断熱性を有する。さらに、水切り材５の内側面５ｇには結露防止材６が設けられているので、内側面５ｇにおける結露を抑え、結露水による温度低下も抑えられる。加えて、結露防止材６と断熱材２２とによって、２層の断熱層が形成され、その断熱性がさらに高まる。また、水切り材５の内側に充填された断熱材２２の下方は、断熱部材２１の上端部２１ｔによって塞がれたような形態であり、これによっても、断熱材２２における断熱性が高まっている。
このようにして、水切り材５と建物外壁１ｗとの間の密閉空間Ｓの断熱性が高められることで、水切り材５の外側面５ｆ側の外気よりも、内側面５ｇ側の断熱材２２の方が温度が高くなる。その結果、水切り材５自体の温度が外気よりも高くなり、水切り材５に付着した雪が溶けやすい。
また、水切り材５は、折板部５１に傾斜部５２が設けられているので、水切り材５に付着して溶けた雪（水）は、傾斜部５２に沿って速やかに流下する。さらに、流下した水は、折板部５１の垂下部５３に沿って鉛直下方に流れ、垂下部５３の下端から、鉛直下方に落下する。このとき、垂下部５３の下端から建物外壁１ｗに向かって折り返された折返し部５６が形成されているので、水が建物外壁１ｗ側に浸入しにくい。
また、水切り材５の水平延出部５４とサッシ４の下枠部４１ｂとの間、及び折返し部５６と断熱部材２１の上端部２１ｔとの間には、シールパッキン５８、５９が設けられているため、これらの部分から水等が建物側に侵入しにくい。
また、建物外壁１ｗの天端面１ｔは、建物の内側（図１の紙面右側）から外側（図１の紙面左側）に向かって漸次下方に傾斜している。これにより、建物外壁１ｗの天端面１ｔとサッシ４の下枠部４１ｂとの間に、結露水や外部からの水の浸入が生じた場合、この水が建物の外側に速やかに誘導できる。
【００２２】
上述したような外断熱躯体１の開口部構造によれば、建物外壁１ｗの外面１ｓに断熱部２が設けられた外断熱構造において、建物外壁１ｗの一部に設けられる開口部３と、開口部３より建物外壁１ｗの外側下方側に傾斜する折板部５１を有した水切り材５と、水切り材５と建物外壁１ｗとの間に設けられ、水切り材５によって覆われた断熱材２２と、を備える。折板部５１の上部材端５５は開口部３の下枠部４１ｂに取り付けられ、折返し部５６は建物外壁１ｗに向かって折り返され、下部材端５７が開口部３の下方の建物外壁１ｗに固定されている。さらに、断熱材２２は、水切り材５と建物外壁１ｗとの間の密閉空間Ｓの、最も内側の部分Ｓ２に至るまで充填されている。
このような構成によれば、開口部３の下枠部４１ｂに添って設ける水切り材５と建物外壁１ｗとの間の密閉空間Ｓの最も内側の部分に至るまで、断熱材２２が充填されることで、密閉空間Ｓを断熱層（熱遮断層）とすることができる。これにより、積雪時に、水切り材５が外気温と同等の温度になるのを抑え、水切り材５の外側面５ｆ上に雪が積もるのを抑えるとともに、水切り材５の外側面５ｆ上に付着した雪を溶かして折板部５１に沿って速やかに下方側に落下させることができる。したがって、水切り材５の外側面５ｆ上に積もった雪が溶けて建物内部に侵入するのを抑えることができる。また、水切り材５の折板部５１が建物外壁１ｗに向かって折り返され、下部材端５７が建物外壁１ｗに固定されていることで、水切り材５の下部材端５７から回り込む浸透水を阻止するとともに、下部材端５７を強固に支持することができる。
したがって、建物の外断熱躯体１に設ける開口部３の下枠部４１ｂ周りに積雪するのを抑え、かつ開口部３廻りからの雨水の浸入を防止することが可能となる。
【００２３】
上記外断熱躯体１の開口部構造は、折板部５１は、水平面に対する勾配が３０〜６０度である。このような構成によれば、水切り材５の折板部５１が３０〜６０度の勾配を有していることで、雨水や雪を折板部５１に留まらせることなく、速やかに下方側に落下させることができ、雨水の建物内への浸透を阻止できる。
【００２４】
上記外断熱躯体１の開口部構造は、折板部５１の内側面５ｇには、結露防止材６が貼付されている。このような構成によれば、水切り材５の内側面５ｇに結露防止材６が貼付られていることで、水切り材５と建物外壁１ｗとの間には、結露防止材６と断熱材２２とが２層に設けられることになる。これにより、積雪時に、水切り材５が外気温と同等の温度になるのをさらに抑えることができる。したがって、水切り材５の外側面５ｆ上に積もった雪が溶けて建物内部に侵入するのを抑えることができる。
【００２５】
（実施形態の変形例）
なお、本発明の外断熱躯体の開口部構造は、図面を参照して説明した上述の実施形態に限定されるものではなく、その技術的範囲において様々な変形例が考えられる。
例えば、上記実施形態では、水切り材５の下部材端５７を、開口部３の下方の建物外壁１ｗに、ブラケット７０及びステー７１を介して固定するようにしたが、下部材端５７は、開口部３の下方の断熱材２２に固定するようにしてもよい。
これ以外にも、本発明の主旨を逸脱しない限り、上記実施の形態で挙げた構成を取捨選択したり、他の構成に適宜変更したりすることが可能である。
【符号の説明】
【００２６】
１  外断熱躯体                ２１  断熱部材
１ｓ  外面                    ２２  断熱材
１ｗ  建物外壁                ４１ｂ  下枠部
２  断熱部                    ５１  折板部
３  開口部                    ５５  上部材端
４  サッシ                    ５６  折返し部
５  水切り材                  ５７  下部材端
５ｇ  内側面                  Ｓ  密閉空間
６  結露防止材                Ｓ２  最も内側の部分
【図１】
2019203242.tif 000003
【図２】
2019203242.tif 000004
【図３】
2019203242.tif 000005